(57)【要約】【課題】車道を走行する車両の運転者以外の道路利用者にとっても有用な視線誘導標を提供すること。【解決手段】一端に標識部２０と、当該標識部２０に一体の基部４０とを備え、前記標識部２０は、道路Ｒ上に設置された状態で、車道を走行する車両の運転手から視認可能であり、しかも前記道路Ｒの路側帯又は路肩を歩行中の歩行者から視認可能である視線誘導標である。前記標識部は、動物の顔部と認識可能な標識顔部を備えており、当該標識顔部は、動物の目と認識可能な標識目部、口と認識可能な標識口部、鼻と認識可能な標識鼻部、耳と認識可能な標識耳部などから選択される標識要素を備えている。【選択図】図１
0003214544.tif 000002
【実用新案登録請求の範囲】
【請求項１】
一端に標識部と、当該標識部に一体の基部とを備える視線誘導標であって、
前記標識部は、道路上に設置された状態で、車道を走行する車両の運転手から視認可能であり、しかも前記道路の路側帯又は路肩を歩行中の歩行者から視認可能である、ことを特徴とする視線誘導標。
【請求項２】
前記標識部は、動物の顔部と認識可能な標識顔部を備えており、
当該標識顔部は、動物の目と認識可能な標識目部、口と認識可能な標識口部、鼻と認識可能な標識鼻部、耳と認識可能な標識耳部、頭髪と認識可能な標識頭髪部、頭頂部と認識可能な標識頭頂部、頬と認識可能な標識頬部、くちばしと認識可能な標識嘴部を含む標識要素群から選択される２つ以上の標識要素を備えている、請求項１に記載の視線誘導標。
【請求項３】
前記標識部は、動物の頭部と認識可能な標識頭部であり、
当該標識頭部に設けられた標識顔部の前記標識要素のうち、少なくともいずれか１つは、前記標識頭部に対して立体的に設けられた立体形状である、請求項２に記載の視線誘導標。
【請求項４】
前記標識部は、前記歩行者によって視認されたときに、立体形状である前記標識要素に起因する立体的な輪郭を視認可能なものである、請求項２又は請求項３に記載の視線誘導標。
【請求項５】
２つの場合は、対称配置である、
前記標識部は、動物の頭部と認識可能な標識頭部であり、
当該標識頭部は、２色以上の色が用いられ、しかも前記標識顔部を少なくとも２つ備えている、請求項２から請求項４のいずれか一項に記載の視線誘導標。
【請求項６】
前記標識部は、動物の頭部と認識可能な標識頭部であり、
前記標識部の前記標識頭部、前記標識顔部及び当該標識顔部を構成する複数の標識要素のうちの少なくともいずれか１つは、発光又は反射光によって夜間視認可能である、請求項２から請求項５のいずれか一項に記載の視線誘導標。
【請求項７】
前記基部は、支柱の被取付け部に着脱自在に取付け可能な取付け部を備えており、
当該取付け部は、前記被取付け部に嵌め込まれる嵌合穴である、請求項１から請求項６のいずれか一項に記載の視線誘導標。
【請求項８】
前記基部は、道路に設置可能な支柱である、請求項１から請求項６のいずれか一項に記載の支柱型の視線誘導標。
【考案の詳細な説明】
【技術分野】
【０００１】
本考案は、道路の路肩や中央分離帯の近傍などに設置される視線誘導標に関するものである。
【背景技術】
【０００２】
視線誘導標は、例えば、道路の路肩近傍や道路側縁などに設置され、路側の位置などを標示して車両運転者の視線を誘導するものである。  視線誘導標としては、例えば、道路側縁や中央分離帯に設置される支柱あるいは防護柵の支柱の頭部に取り付け可能な反射型視線誘導標がある（特許文献１参照）。
【先行技術文献】
【特許文献】
【０００３】
【特許文献１】特開平９−３８４１号公報
【考案の概要】
【考案が解決しようとする課題】
【０００４】
ところで、視線誘導標が設置される例えば道路の路肩近傍は、車道及び歩道の両方に隣接する位置である。  ところが、視線誘導標は、通常、車両運転者の視線の誘導など車道を走行する車両の運転者向けに設置されるものである。
本考案はこのような問題点に鑑みてなされたものであり、車道を走行する車両の運転者以外の道路利用者にとっても有用な視線誘導標を提供することを課題とする。
【課題を解決するための手段】
【０００５】
本考案は、一端に標識部（先部）と、当該標識部に一体の基部とを備える視線誘導標であって、前記標識部は、道路上に設置された状態で、車道を走行する車両の運転手から視認可能であり、しかも前記道路の路側帯又は路肩を歩行中の歩行者から視認可能である、ことを特徴とする視線誘導標である。
前記標識部は、前記視線誘導標が車道と路側帯との境界に隣接する位置に設置されたときに、前記路側帯を利用している歩行者から視認可能である。
【０００６】
前記標識部は、動物の顔部と認識可能な標識顔部を備えており、当該標識顔部は、動物の目と認識可能な標識目部、口と認識可能な標識口部、鼻と認識可能な標識鼻部、耳と認識可能な標識耳部、頭髪と認識可能な標識頭髪部、頭頂部と認識可能な標識頭頂部、頬と認識可能な標識頬部、くちばしと認識可能な標識嘴部を含む標識要素群から選択される２つ以上の標識要素を備えている。
【０００７】
また、前記標識部は、動物の頭部と認識可能なものであり、当該頭部に設けられた前記顔部の前記標識要素のうち、少なくともいずれか１つは、前記頭部に対して立体的に設けられた立体形状である。
【０００８】
また、前記標識部は、前記歩行者によって視認されたときに、立体形状である前記標識要素に起因する立体的な輪郭を視認可能なものである。
【０００９】
そして、前記標識部は、動物の頭部と認識可能なものであり、当該頭部は、２色以上の色が用いられ、しかも前記顔部を少なくとも２つ備えていることが好ましい。
【００１０】
そして、前記標識部は、動物の頭部と認識可能なものであり、前記標識部の前記頭部、前記顔部及び当該顔部を構成する複数の標識要素のうちの少なくともいずれか１つは、発光又は反射光によって夜間視認可能であることが好ましい。
【００１１】
さらに、前記基部は、支柱の被取付け部に着脱自在に取付け可能な取付け部を備えており、当該取付け部は、前記被取付け部に嵌め込まれる嵌合穴であることが好ましい。
【００１２】
また、前記基部は、道路に設置可能な支柱である、支柱型の視線誘導標であってもよい。
【考案の効果】
【００１３】
本考案は、道路の路側帯又は路肩を歩行中の歩行者から視認可能な標識部を備えているので、車両運転者のみならず、歩行者に対する注意喚起性能にも優れている。
【図面の簡単な説明】
【００１４】
【図１】本考案の実施形態の視線誘導標について、支柱に設置された状態を示す正面説明図である。
【図２】図１に示される視線誘導標を示す正面図である。
【図３】図１に示される視線誘導標を示す側面図である。
【図４】図２に示されるＡ−Ａ断面を示す断面図である。
【図５】本考案の別の実施形態の視線誘導標について、支柱に設置された状態を示す正面説明図である。
【符号の説明】
【００１５】
１，２…視線誘導標、20…先部（標識部）、21…標識頭部、22…標識顔部、
31…標識目部、32…標識口部、33…標識鼻部、34…標識耳部、35…標識頭髪部、
36…標識頭頂部、37…標識頬部、38…標識嘴部、
40…基部、41…嵌合穴（取付け部）、Ｐ…支柱、Pt…被取付け部、Ｒ…道路。
【考案を実施するための形態】
【００１６】
次に、本考案に係る視線誘導標（ガイドポスト）の実施形態について、図面を参照しつつ説明する。
【００１７】
図１に示されるように、視線誘導標1は、先部（標識部）20と、当該先部20に一体の基部40とを備えている。
【００１８】
先部20は、道路Rに設置された状態で、車道を走行する車両の運転手から視認可能な標識部ということができる。
また、先部20は、道路Rの路側帯又は路肩を歩行中の歩行者からも視認可能であり、視線誘導標が車道と路側帯との境界に隣接する位置に設置されたときに、路側帯を利用している歩行者から視認可能である。
そして、先部20は、動物の顔部と認識可能な標識顔部22を有する。
動物としては、例えば、熊や犬などの哺乳類、アヒルやニワトリなどの鳥類、カエルなどの両生類、蛇などの爬虫類など、種々の動物を挙げることができる。
【００１９】
標識顔部22は、目と認識可能な標識目部31、口と認識可能な標識口部32、鼻と認識可能な標識鼻部33、耳と認識可能な標識耳部34（図５参照）、頭髪と認識可能な標識頭髪部35、頭頂部と認識可能な標識頭頂部36、頬と認識可能な標識頬部37、くちばしと認識可能な標識嘴部（口周辺部）38を含む標識要素群から選択される２つ以上の標識要素を備えている。
図１から図３に示される視線誘導標1は、アヒルと視認できるものであり、標識目部31、標識口部32、標識鼻部33、標識頭頂部36、標識頭髪部35および標識頬部37、標識嘴部38を備えている。
なお、図５に示される別の実施形態の視線誘導標２は、クマと認識できるものであり、標識目部31、標識口部32、標識鼻部33、標識耳部34、標識頬部37、標識周辺部（標識嘴部）38を備えている。
【００２０】
本実施形態の視線誘導標1が有する標識顔部22や次に説明する標識頭部21は、人間の本能的に、目に留まり易い（認識性に優れる）形状であると思料されるところ、そのような形状部を有する視線誘導標1、視線誘導標として機能するだけでなく、歩行者用の誘導標としても極めて優れている。
そして、ここで説明している標識頭部21や標識顔部22は、特に、幼児や児童などの子供の目に極めて留まり易い（認識性に極めて優れている）ということができる。
つまり、本実施形態の視線標識であれば、例えば子供たちは、標識頭部21や標識顔部22を無意識に認識し、自然に（あるいは反射的に）標識頭部21や標識顔部22を目に留める効果を得ることができる。したがって、このような視線誘導標1は、特にスクールゾーンなどの子供通行量が多いエリアに設置するための標識（視線誘導標）として極めて優れているということができる。
【００２１】
図１に示されるように、視線誘導標１の先部20は、動物頭部と認識可能な略球形の立体形状部（標識頭部21）である。
先部20に設けられた標識顔部22の標識要素31〜38のうち、少なくともいずれか１つは、標識頭部22に対して立体的に設けられた立体形状であることが好ましい。
本実施形態の視線誘導標1では、図２及び図３に示されるように、略球形の先部20（標識頭部21）の外周に、標識目部31、標識口部32、標識鼻部33、標識頭頂部36、標識頭髪部35、標識頬部37及び標識嘴部38が立体的に設けられている。つまり、視線誘導標1は、全ての標識要素31〜38が立体形状であり、立体形状の標識頭部21及び標識顔部22を備えている。
なお、より具体的に説明すると、視線誘導標1の先部20の外周面は略球面であり、先部20に設けられた各標識要素31〜38は、いずれも、この球面をベース（基礎面）として、立体的（本実施例では外側に凸）に形成されている。立体形状としては、凹凸が考えられるが、外側に凸の凸形状がより好ましい。
【００２２】
立体形状である標識頭部21及び標識顔部22は、道路R上に設置された状態で、歩行者によって視認されたとき、立体的な輪郭を認識することができるものである。立体的な輪郭は、立体形状の各標識要素31〜38に起因する形状である。
このように輪郭を視認できる標識頭部21や標識顔部22は、さらに人の目に留まり易い。したがって、このような視線誘導標1は、目に留まり易さ（認識性）がさらに優れているということができる。
【００２３】
なお、先部20に設けられる標識顔部22の数は、１つでもよいが、あらゆる方向からの視認性を向上されるためには複数（２つ又は３つ以上）がより好ましい。本実施形態で説明している視線誘導標１，２は、標識顔部22を２つ有するものである。そして、２つの標識顔部22,22を配置する場合は、認識顔部22を背中合わせの面対称に配置する構成や、２つの標識顔部22,22が標識目部31を備える場合はその視線が車道側とは反対側（例えば路側帯側）に向いた構成が好ましい。
また、標識頭部21や標識顔部22は、２色以上の色が用いられていることがより好ましい。そして、２色以上の色のうちの少なくとも１つは彩度を有する色であることがより好ましい。
また、標識頭部21、標識顔部22、標識顔部22を構成する各標識要素31〜38は、発光又は反射光によって夜間視認可能なものであることが好ましい。
発光させる主要としては、例えば、各要素の表面に夜光塗料が塗布された構成、表面にＬＥＤランプなどの発光源が設置された構成、表面に反射板などの反射機能を有する部品が設置された構成などを用いることができる。
【００２４】
また、図１に示されるように、基部40は、先部20に一体に形成されており、道路R上の設置される支柱Pの被取付け部Ptに着脱自在に取付け可能な嵌合穴41（取付け部）を備えている。
支柱Pの被取付け部Ptの形状としては、種々の形状を挙げることができるが、本実施形態の視線誘導標1は、種々の形状の支柱Pの被取付け部Ptに取付け可能である。
例えば、断面形状が円形（図４参照）、半円形、断面積が円形と半円形の中間である円弧部を有する形状（Ｃ形状の開口部を直線で閉じた形状）、凸形状（３つの凸部を有する形状）であって、凸状の各先端が半円弧になっている形状などを挙げることができる。
視線誘導標1の支柱Pへの取付け構造としては、接着、ネジ止め、締り嵌めによる固定構造など種々の構成を挙げることができる。
本実施形態の視線誘導標1は、嵌合穴41の内部に接着剤を塗布した状態で、嵌合穴41を支柱Pの先端部Ptに外挿することによって支柱Pに固定されている。
【００２５】
このように、本実施形態の視線誘導標1の先部（標識部）は、単純な円柱形状の視線誘導標や害表面が無地や単純な幾何学模様の視線誘導標と比較して、人間、特に子供の目に極めて留まり易い（認識性に極めて優れている）ものであり、無意識のうちに（あるいは反射的に）標識頭部21や標識顔部22が目に留まる効果を奏するものであるので、車両運転者に対する視線誘導標として優れているだけでなく、路側帯などを歩行する歩行者に対する歩行誘導標として極めて優れている。そして、スクールゾーンなどの子供通行量が多いエリアに設置するための歩行誘導標（視線誘導標）として極めて優れている。
【００２６】
なお、本考案に係る視線誘導標は、上記実施形態のものに限られるものではない。本考案の趣旨を逸脱しない範囲で改変された装置は、本考案の範囲に含まれる。
【００２７】
例えば、基部が道路に設置可能な支柱であり、この支柱に先部（標識部）20が一体に形成された支柱型の視線誘導標であってもよい。
【図１】
0003214544.tif 000003
【図２】
0003214544.tif 000004
【図３】
0003214544.tif 000005
【図４】
0003214544.tif 000006
【図５】
0003214544.tif 000007
【手続補正書】
【提出日】平成29年11月24日(2017.11.24)
【手続補正１】
【補正対象書類名】実用新案登録請求の範囲
【補正対象項目名】全文
【補正方法】変更
【補正の内容】
【実用新案登録請求の範囲】
【請求項１】
一端に標識部と、当該標識部に一体の基部とを備える視線誘導標であって、
前記標識部は、道路上に設置された状態で、車道を走行する車両の運転手から視認可能であり、しかも前記道路の路側帯又は路肩を歩行中の歩行者から視認可能である、ことを特徴とする視線誘導標。
【請求項２】
前記標識部は、動物の顔部と認識可能な標識顔部を備えており、
当該標識顔部は、動物の目と認識可能な標識目部、口と認識可能な標識口部、鼻と認識可能な標識鼻部、耳と認識可能な標識耳部、頭髪と認識可能な標識頭髪部、頭頂部と認識可能な標識頭頂部、頬と認識可能な標識頬部、くちばしと認識可能な標識嘴部を含む標識要素群から選択される２つ以上の標識要素を備えている、請求項１に記載の視線誘導標。
【請求項３】
前記標識部は、動物の頭部と認識可能な標識頭部であり、
当該標識頭部に設けられた標識顔部の前記標識要素のうち、少なくともいずれか１つは、前記標識頭部に対して立体的に設けられた立体形状である、請求項２に記載の視線誘導標。
【請求項４】
前記標識部は、前記歩行者によって視認されたときに、立体形状である前記標識要素に起因する立体的な輪郭を視認可能なものである、請求項２又は請求項３に記載の視線誘導標。
【請求項５】
前記標識部は、動物の頭部と認識可能な標識頭部であり、
当該標識頭部は、２色以上の色が用いられ、しかも前記標識顔部を少なくとも２つ備えている、請求項２から請求項４のいずれか一項に記載の視線誘導標。
【請求項６】
前記標識部は、動物の頭部と認識可能な標識頭部であり、
前記標識部の前記標識頭部、前記標識顔部及び当該標識顔部を構成する複数の標識要素のうちの少なくともいずれか１つは、発光又は反射光によって夜間視認可能である、請求項２から請求項５のいずれか一項に記載の視線誘導標。
【請求項７】
前記基部は、支柱の被取付け部に着脱自在に取付け可能な取付け部を備えており、
当該取付け部は、前記被取付け部に嵌め込まれる嵌合穴である、請求項１から請求項６のいずれか一項に記載の視線誘導標。
【請求項８】
前記基部は、道路に設置可能な支柱である、請求項１から請求項６のいずれか一項に記載の支柱型の視線誘導標。